(57)【要約】【課題】より快適なエアマットレスを提供する。【解決手段】実施形態によれば、エアマットレスは、エアセル部及び第１層を含む。前記エアセル部は、第１方向に並ぶ複数のエアセルを含む。前記複数のエアセルは、前記第１方向と交差する第２方向に延びる。前記第１層は、高分子発泡体を含む。前記エアセル部から前記第１層への方向は、前記第１方向及び前記第２方向を含む平面と交差する第３方向に沿う。前記第１層の前記第３方向の長さは、３０ｍｍ±２０ｍｍである。【選択図】図１
2020110454.tif 000002
【特許請求の範囲】
【請求項１】
第１方向に並ぶ複数のエアセルを含むエアセル部であって、前記複数のエアセルは、前記第１方向と交差する第２方向に延びる、前記エアセル部と、
高分子発泡体を含む第１層であって、前記エアセル部から前記第１層への方向は、前記第１方向及び前記第２方向を含む平面と交差する第３方向に沿い、前記第１層の前記第３方向の長さは、３０ｍｍ±２０ｍｍである、前記第１層と、
を備えたエアマットレス。
【請求項２】
前記第１層の４０％硬さは、９０±３０Ｎである、請求項１記載のエアマットレス。
【請求項３】
前記複数のエアセルが膨らんだときの前記複数のエアセルの、前記第１方向及び前記第２方向を含む平面と交差する第３方向の長さは、１２０ｍｍ±５０ｍｍである、請求項１または２に記載のエアマットレス。
【請求項４】
前記複数のエアセルの２つのそれぞれの内圧は、互いに独立して制御可能である、請求項１〜３のいずれか１つに記載のエアマットレス。
【発明の詳細な説明】
【技術分野】
【０００１】
本発明の実施形態は、エアマットレスに関する。
【背景技術】
【０００２】
エアマットレスにおいて、より快適なことが望まれる。
【先行技術文献】
【特許文献】
【０００３】
【特許文献１】特開平８−１６４１６８号公報
【発明の概要】
【発明が解決しようとする課題】
【０００４】
本発明の実施形態は、より快適なエアマットレスを提供する。
【課題を解決するための手段】
【０００５】
実施形態によれば、エアマットレスは、エアセル部及び第１層を含む。前記エアセル部は、第１方向に並ぶ複数のエアセルを含む。前記複数のエアセルは、前記第１方向と交差する第２方向に延びる。前記第１層は、高分子発泡体を含む。前記エアセル部から前記第１層への方向は、前記第１方向及び前記第２方向を含む平面と交差する第３方向に沿う。前記第１層の前記第３方向の長さは、３０ｍｍ±２０ｍｍである。
【発明の効果】
【０００６】
本発明の実施形態は、より快適なエアマットレスを提供できる。
【図面の簡単な説明】
【０００７】
【図１】図１（ａ）〜図１（ｃ）は、第１実施形態に係るエアマットレスを例示する模式図である。
【図２】図２は、第１実施形態に係るエアマットレスを例示するブロック図である。
【図３】図３は、マットレスに関する実験結果を例示するグラフ図である。
【図４】図４は、マットレスに関する実験結果を例示するグラフ図である。
【図５】図５は、マットレスに関する実験結果を例示するグラフ図である。
【図６】図６は、マットレスに関する実験結果を例示するグラフ図である。
【図７】図７は、マットレスに関する実験結果を例示するグラフ図である。
【図８】図８は、マットレスに関する実験結果を例示するグラフ図である。
【図９】図９（ａ）及び図９（ｂ）は、実施形態に係るエアマットレスにおける動作を例示する模式図である。
【図１０】図１０は、実施形態に係るエアマットレスにおける動作を例示するグラフ図である。
【図１１】図１１は、実施形態に係るエアマットレスにおける動作を例示するフローチャート図である。
【発明を実施するための形態】
【０００８】
以下に、本発明の実施形態について図面を参照しつつ説明する。  
図面は模式的または概念的なものであり、各部分の厚さと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００９】
（第１実施形態）  
図１（ａ）〜図１（ｃ）は、第１実施形態に係るエアマットレスを例示する模式図である。  
図１（ａ）は、実施形態に係るエアマットレス１１０を例示する斜視図である。図１（ｂ）は、断面図である。図１（ｃ）は、エアマットレス１１０に含まれることが可能な要素を示す平面図である。図１（ａ）においては、図を見やすくするために、エアマットレス１１０に含まれる複数の要素が離れて描かれている。
【００１０】
図１（ａ）に示すように、実施形態に係るエアマットレス１１０は、エアセル部１０及び第１層４０を含む。
【００１１】
エアセル部１０は、複数のエアセル１１を含む。複数のエアセル１１は、第１方向に並ぶ。
【００１２】
第１方向をＸ軸方向とする。Ｘ軸方向に対して垂直な１つの方向をＹ軸方向とする。Ｘ軸方向及びＹ軸方向に対して垂直な方向をＺ軸方向とする。
【００１３】
第１方向は、例えば、エアマットレス１１０に使用者が寝た時の、頭から足への方向に対応する。Ｙ軸方向は、左右方向に対応する。Ｚ軸方向は、エアマットレス１１０の下面から上面への方向に対応する。
【００１４】
複数のエアセル１１は、第１方向と交差する第２方向に延びる。第２方向は、例えば、Ｙ軸方向である。複数のエアセル１１の１つの第２方向に沿う長さは、複数のエアセル１１のその１つの第１方向に沿う長さよりも長い。
【００１５】
複数のエアセル１１の１つの第３方向に沿う長さｔ１（図１（ｂ）参照）は、複数のエアセル１１の１つの第２方向（Ｙ軸方向）に沿う長さよりも短い。第３方向は、第１方向及び第２方向を含む平面（例えば、Ｘ−Ｙ平面）と交差する。第３方向は、例えば、Ｚ軸方向である。
【００１６】
図１（ａ）に示すように、エアセル部１０から第１層４０への方向は、第３方向（例えばＺ軸方向）に沿う。第１層４０は、高分子発泡体を含む。高分子発泡体は、例えば、ウレタンフォームなどを含む。第１層４０の第３方向の長さｔ２（図１（ｂ）参照）は、複数のエアセル１１の長さｔ１よりも短い。第３方向に沿う長さは、例えば、厚さ（または高さ）に対応する。
【００１７】
この例では、エアマットレス１１０は、第１サイドエッジ部２１及び第２サイドエッジ部２２をさらに含む。Ｙ軸方向において、第１サイドエッジ部２１と第２サイドエッジ部２２との間にエアセル部１０が設けられる。第１サイドエッジ部２１及び第２サイドエッジ部２２は、例えば、高分子発泡体を含む。第１サイドエッジ部２１及び第２サイドエッジ部２２は、例えばウレタンフォームである。
【００１８】
この例では、第１層４０は、第１サイドエッジ部２１及び第２サイドエッジ部２２と接合される。接合は、接着または融着などを含む。
【００１９】
この例では、エアマットレス１１０は、ポンプ部３１をさらに含む。ポンプ部３１は、例えば、チューブ１１ｐなどにより、複数のエアセル１１と接続される。ポンプ部３１は、複数のエアセル１１の給排気を行う。ポンプ部３１による給排気により、複数のエアセル１１の内圧が制御できる。例えば、使用者の好みに応じた内圧に設定することで、使用者に快適な姿勢を提供できる。
【００２０】
実施形態において、複数のエアセル１１の２つのそれぞれの内圧は、互いに独立して制御可能でも良い。これにより、複数のエアセルのそれぞれの内圧をより高い精度で設定できる。より快適な姿勢を提供できる。
【００２１】
実施形態において、図１（ｃ）に例示する受付部６０が設けられても良い。受付部６０は、例えば、使用者の入力を受け付ける。例えば、受付部６０は、有線または無線の任意の方法で、ポンプ部３１と接続される。この例では、受付部６０は、ケーブル６８によりポンプ部３１と接続される（図１（ａ）参照）。受付部６０は、例えば、スマートフォンでも良い。この場合は、受付部６０とポンプ部３１との間の情報の授受は、無線により行われる。
【００２２】
図１（ｃ）に示すように、受付部６０は、例えば、第１入力表示部６１及び第２入力表示部６２などを含んでも良い。例えば、使用者が、第１入力表示部６１を押すと、エアセル１１の内圧が低下する。例えば、使用者が、第２入力表示部６２を押すと、エアセル１１の内圧が上昇する。受付部６０による受け付けられる入力は、電気的入力、光学的入力、磁気的入力または機械的入力を含む。
【００２３】
例えば、複数のエアセル１１が複数のブロックに分けられ、複数のブロックの内圧が互いに独立して制御できても良い。複数のブロックは、例えば、頭ブロック、肩ブロック、腰ブロック、臀ブロック、上腿ブロック、及び、下腿ブロックを含む。
【００２４】
実施形態において、「内圧」は、大気圧との差に対応する。
【００２５】
図２は、第１実施形態に係るエアマットレスを例示するブロック図である。  
図２に示すように、実施形態において、制御部７２が設けられても良い。制御部７２は、例えば、プロセッサなどを含んでも良い。制御部７２は、ポンプ部３１と、有線または無線などの任意の方法により接続される。制御部７２は、例えば、ポンプ部３１の筐体の中に設けられても良い。制御部７２は、例えば、スマートフォン型でも良い。
【００２６】
制御部７２は、例えば、ポンプ部３１を制御する。ポンプ部３１の動作により、エアセル１１の給排気が行われる。
【００２７】
例えば、センサ部３１ｓが設けられても良い。例えば、センサ部３１ｓは、複数のエアセル１１の内圧を検出可能である。１つの例において、複数のエアセル１１のそれぞれに接続されたチューブ１１ｐの内圧を検出することで、複数のエアセル１１のそれぞれの内圧を検出できる。例えば、制御部７２は、検出された内圧に基づいて、内圧を所望のように制御しても良い。
【００２８】
記憶部７８が設けられても良い。記憶部７８は、例えば、複数のエアセル１１のそれぞれの内圧に関して使用者に合わせたデータを記憶しても良い。制御部７２またはポンプ部３１は、記憶部７８に記憶されたデータに基づいて、複数のエアセル１１の目的とする内圧を記憶しても良い。記憶部７８は、例えば、目的とする内圧の時間変化に関するデータを記憶しても良い。
【００２９】
使用者による受付部６０の操作が、受付部６０により受け付けられる。例えば、使用者が第１入力表示部６１及び第２入力表示部６２などを含む入力ボタンなどを操作することで、複数のエアセル１１の内圧が制御できる。使用者が希望するエアマットレスの柔らかさなどが得られる。
【００３０】
エアマットレスではない一般的なマットレスがある。一般的なマットレスにおいては、例えばウレタンフォームなどを含むベースマットが設けられる。一般に、硬さ（または柔らかさ）の異なる複数のベースマットが用意される。使用者の一人は、自分の好みに合わせて、硬いベースマットを使用する。または、使用者の別の一人は、自分の好みに合わせて、柔らかいベースマットを使用する。
【００３１】
使用者の、エアマットレスの硬さについての好みは種々であり、使用者の好みに合わせて多品種のマットレスを製造すると、コストが上昇する。さらに、一人の使用者においても、日々の体調などに合わせて、マットレスの硬さ（または柔らかさ）を変更することを、その使用者が希望する場合もある。
【００３２】
実施形態においては、第１層４０の第３方向（Ｚ軸方向）の長さｔ２（図１（ｂ）参照）は、３０ｍｍ±２０ｍｍである。これにより、後述するように、一般に用いられている２種類の硬さのマットレスのそれぞれの寝心地が、１つのエアマットレスにより、容易に得られる。
【００３３】
例えば、実施形態に係るエアマットレス１１０において、複数のエアセル１１の内圧を比較的高い値に設定することで、一般的な硬いマットレスと実質的に同様の寝心地が得られる。例えば、エアマットレス１１０において、複数のエアセル１１の内圧を比較的低い値に制御することで、一般的な柔らかいマットレスと実質的に同様の寝心地が得られる。
【００３４】
ここで、使用者の感じる寝心地は、使用者の体重が複数のエアセル１１に加わったときの反発力に関係があると考えられる。さらに、使用者の感じる寝心地は、エアマットレスの上の使用者の動きにより複数のエアセル１１に加わる圧力が変化したとき反発力の変化の特性に関係すると考えられる。以下、発明者が独自に実施した実験の結果について説明する。
【００３５】
実験においては、第１層４０の厚さ（長さｔ２）を変更した試料が評価される。試料の評価結果が、一般のマットレスに用いられる種々のベースマットの試料の特性と比較評価される。
【００３６】
図３及び図４は、マットレスに関する実験結果を例示するグラフ図である。  
これらの図は、試料に力を加えて、試料を圧縮したときに生じる反発力についての測定結果を例示している。図３及び図４において、横軸は、試料の圧縮量Δｔ（ｍｍ）である。圧縮量Δｔは、加わった力による試料の厚さの変化量に対応する。縦軸は、反発力Ｆ１（Ｎ）である。
【００３７】
図３及び図４には、エアマットレス１１０に関する試料の特性が例示されている。この例では、エアセル１１の高さ（長さｔ１）は、１２０ｍｍであり、第１層４０の厚さ（長さｔ２）は、３０ｍｍである。図３は、エアセル１１の内圧が２ｋＰａのときの特性を示している。図４は、エアセル１１の内圧が８ｋＰａのときの特性を示している。エアセル１１の高さ（長さｔ１）は、「複数のエアセル１１が膨らんだとき」（例えば、エアセル１１の内圧が２．６ｋＰａのとき）の値に対応する。
【００３８】
図３には、エアセルを用いないベースマットの第１参考試料１１８ａの特性が例示されている。第１参考試料１１８ａは、ソフトウレタンマットレスに対応する。図４には、エアセルを用いないベースマットの第２参考試料１１８ｂの特性が例示されている。第２参考試料１１８ｂは、ミディアムウレタンマットレスに対応する。
【００３９】
試料を圧縮したときに生じる反発力に関するΔｔ−Ｆ１カーブは、ヒステリシス特性を有する場合が多い。ヒステリシス特性においては、負荷時の曲線（加える力を増大する時の曲線）は、除荷時の曲線（加える力を減少する時の曲線）と、異なる。発明者の実験によると、使用者が受ける寝心地は、Δｔ−Ｆ１カーブのヒステリシス特性の負荷時の曲線の特性により関係することが分かった。このため、図３及び図４においては、図を見やすくするために、Δｔ−Ｆ１カーブのヒステリシス特性の負荷時の曲線が示されており、除荷時の曲線は省略されている。
【００４０】
発明者の実験によると、使用者が受ける寝心地は、反発力Ｆ１が約２５０Ｎ以下のときの特性に大きく依存することが分かった。
【００４１】
図３に示すように、エアマットレス１１０の試料の特性は、約２５０Ｎ以下の反発力Ｆ１の範囲において、ソフトウレタンマットレスに対応する第１参考試料１１８ａの特性とよく一致する。
【００４２】
図４に示すように、エアマットレス１１０の試料の特性は、約２５０Ｎ以下の反発力Ｆ１の範囲において、ミディアムウレタンマットレスに対応する第２参考試料１１８ｂの特性とよく一致する。
【００４３】
このように、実施形態に係るエアマットレス１１０においては、内圧を制御することで、ソフトウレタンマットレスまたはミディアムウレタンマットレスと実質的に同様の特性が得られる。
【００４４】
実施形態によれば、種々の好みのそれぞれの特性（寝心地）を１つのエアマットレスにより生成できる。使用者が好む種々の寝心地を容易に提供できる。実施形態によれば、より快適なエアマットレスを提供できる。
【００４５】
図５及び図６は、マットレスに関する実験結果を例示するグラフ図である。  
これらの図は、第１層４０の厚さ（長さｔ２）を変えたときの特性を例示している。図５及び図６において、エアセル１１の高さ（長さｔ１）は、１２０ｍｍである。図５において、複数のエアセル１１の内圧は、２ｋＰａである。図６において、複数のエアセル１１の内圧は、８ｋＰａである。
【００４６】
図５には、第１参考試料１１８ａのデータ、及び、第３参考試料１１９ｃのデータも示されている。既に説明したように、第１参考試料１１８ａは、エアセルを用いないベースマット（ソフトウレタンマットレス）に対応する。第３参考試料１１９ｃにおいては、内圧が２ｋＰａの複数のエアセル１１だけが用いられ、第１層４０が設けられない。
【００４７】
図６には、第２参考試料１１８ｂのデータ、及び、第４参考試料１１９ｄのデータも示されている。既に説明したように、第２参考試料１１８ｂは、エアセルを用いないベースマット（ミディアムウレタンマットレス）に対応する。第４参考試料１１９ｄにおいては、内圧が８ｋＰａの複数のエアセル１１だけが用いられ、第１層４０が設けられない。
【００４８】
図５に示すように、第１層４０の厚さ（長さｔ２）が３０ｍｍのときの特性（Δｔ−Ｆ１カーブ）は、ソフトウレタンマットレスに対応する第１参考試料１１８ａの特性とよく一致する。厚さ（長さｔ２）の値が３０ｍｍから離れると、特性は、第１参考試料１１８ａの特性から離れる。
【００４９】
図６に示すように、第１層４０の厚さ（長さｔ２）が１０ｍｍまたは３０ｍｍの特性（Δｔ−Ｆ１カーブ）は、ミディアムウレタンマットレスに対応する第２参考試料１１８ｂの特性と比較的よく一致する。厚さ（長さｔ２）の値が３０ｍｍから離れると、特性は、第２参考試料１１８ｂの特性から離れる。
【００５０】
既に説明したように、使用者が受ける寝心地は、反発力Ｆ１が約２５０Ｎ以下のときの特性に大きく依存する。ここで、ソフトウレタンマットレスまたはミディアムウレタンマットレスとの差に関するパラメータを導入する。
【００５１】
例えば、内圧が２ｋＰａのときにおいて、反発力Ｆ１が１５０Ｎ、２００Ｎ及び２５０Ｎの３つの値のそれぞれに対応するときのエアマットレス１１０の試料における圧縮量Δｔをそれぞれ、Δｔ１（２）、Δｔ２（２）及びΔｔ３（２）とする。一方、内圧が８ｋＰａのときにおいて、反発力Ｆ１が１５０Ｎ、２００Ｎ及び２５０Ｎの３つの値のそれぞれに対応するときのエアマットレス１１０の試料における圧縮量Δｔをそれぞれ、Δｔ１（８）、Δｔ２（８）及びΔｔ３（８）とする。ソフトウレタンマットレス（第１参考試料１１８ａ）において、反発力Ｆ１が１５０Ｎ、２００Ｎ及び２５０Ｎの３つの値のそれぞれに対応する圧縮量Δｔをそれぞれ、Δｔ１（ａ）、Δｔ２（ａ）及びΔｔ３（ａ）とする。ミディアムウレタンマットレス（第２参考試料１１８ｂ）において、反発力Ｆ１が１５０Ｎ、２００Ｎ及び２５０Ｎの３つの値のそれぞれに対応する圧縮量Δｔをそれぞれ、Δｔ１（ｂ）、Δｔ２（ｂ）及びΔｔ３（ｂ）とする。
【００５２】
第１パラメータＰ１を、{（Δｔ１（２）−Δｔ１（ａ））２＋（Δｔ２（２）−Δｔ２（ａ））２＋（Δｔ３（２）−Δｔ３（ａ））２}１／２とする。第１パラメータＰ１は、内圧が２ｋＰａのときのエアマットレス１１０の試料の特性と、ソフトウレタンマットレス（第１参考試料１１８ａ）の特性と、の差に対応する。
【００５３】
第２パラメータＰ２を、{（Δｔ１（８）−Δｔ１（ｂ））２＋（Δｔ２（８）−Δｔ２（ｂ））２＋（Δｔ３（８）−Δｔ３（ｂ））２}１／２とする。第２パラメータＰ２は、内圧が８ｋＰａのときのエアマットレス１１０の試料の特性と、ミディアムウレタンマットレス（第２参考試料１１８ｂ）の特性と、の差に対応する。
【００５４】
図７及び図８は、マットレスに関する実験結果を例示するグラフ図である。  
これらの図の横軸は、第１層４０の厚さ（長さｔ２（ｍｍ））である。図７の縦軸は、上記の第１パラメータＰ１（ｍｍ）である。図８の縦軸は、上記の第２パラメータＰ２（ｍｍ）である。これらの図には、得られた値に基づく近似曲線（２次多項式）も記載されている。
【００５５】
図７から分かるように、第１層４０の厚さ（長さｔ２）が約３０ｍｍのときに、第１パラメータＰ１は小さい。図８から分かるように、第１層４０の厚さ（長さｔ２）が約３０ｍｍのときに、第２パラメータＰ２は小さい。
【００５６】
実施形態においては、長さｔ２は、例えば、３０ｍｍ±２０ｍｍであることが好ましい。これにより、例えば、一般に用いられている２種類の硬さのマットレス（ソフトウレタンマットレスまたはミディアムウレタンマットレス）のそれぞれの寝心地を容易に得ることができる。実施形態によれば、より快適なエアマットレスを提供できる。
【００５７】
実施形態において、第１層４０の４０％硬さは、９０±３０Ｎであることが好ましい。これにより、ウレタンマットレスの特性と良く一致する特性が得やすくなる。「４０％硬さ」は、例えば、「ＪＩＳ  Ｋ  ６４００−２  Ａ法」で定義される。この試験法においては、試験片のサイズは、５０ｍｍ×３８０ｍｍ×３８０ｍｍである。直径が２００ｍｍの加圧板により、試験片が、はじめの厚さの７０％の歪み量まで垂直に押し込む操作が３回繰り返された後、直ちに、はじめの厚さの４０％の歪み量まで押し込み、静止後３０秒経過したときの荷重に対応する。
【００５８】
実施形態において、第１層４０の密度は、６５±１５ｋｇ／ｍ３であることが好ましい。これにより、例えば、適正な４０％硬さを維持するための、高い耐久性が得られる。
【００５９】
実施形態において、複数のエアセル１１が膨らんだときの複数のエアセル１１の第３方向（Ｚ軸方向）の長さｔ１（図１（ｂ）参照）は、例えば、約１２０ｍｍ±５０ｍｍであることが好ましい。このような範囲にあることで、例えば、快適なエアマットレスをより提供し易くなる。「複数のエアセル１１が膨らんだとき」は、例えば、エアセル１１の内圧が２．６ｋＰａのときである。
【００６０】
実施形態において、複数のエアセルの２つのそれぞれの内圧が、互いに独立して制御可能であることにより、使用者のより細かい要求に沿う寝心地を提供できる。
【００６１】
実施形態において、ポンプ部３１は、ＤＣポンプ３１ｄ（図２参照）を含んでも良い。ＤＣポンプ３１ｄを用いることで、例えば、ＰＷＭ（Ｐulse Ｗidth Ｍodulation）制御が実施されても良い。以下に、ＰＷＭ制御の例について説明する。
【００６２】
図９（ａ）及び図９（ｂ）は、実施形態に係るエアマットレスにおける動作を例示する模式図である。  
これらの図の横軸は、時間ｔｍである。縦軸は、ＰＷＭ制御信号の強度ＳｉｇＣを例示している。図９（ａ）は、デューティ比Ｄｔが６５％の場合に対応する。図９（ｂ）は、デューティ比Ｄｔが３５％の場合に対応する。ＰＷＭ制御信号は、例えば、制御部７２、または、制御部７２に制御された駆動回路からＤＣポンプ３１ｄに供給される。ＰＷＭ制御信号の強度ＳｉｇＣが高い状態の期間と、強度ＳｉｇＣが低い状態の期間と、の比により、ＤＣポンプ３１ｄによるエアセル１１の給排気の量が制御できる。
【００６３】
図１０は、実施形態に係るエアマットレスにおける動作を例示するグラフ図である。  
図１０の横軸は、デューティ比Ｄｔである。縦軸は、給排気の圧力Ｐｒ（ｋＰａ）である。図１０に示すように、デューティ比Ｄｔが高いと、給排気の圧力Ｐｒが高くなる。ＰＷＭ制御におけるデューティ比Ｄｔを制御することで、ポンプの給排気量を制御できる。
【００６４】
実施形態において、ポンプ部３１は、ＡＣポンプを含んでも良い。ＡＣポンプの動作により、エアセル１１の内圧を制御できる。この場合、例えばＡＣポンプへの印加電圧により、ＡＣポンプの出力（例えば、給排気の圧力Ｐｒ）が制御される。ＡＣポンプにおいて、位相制御により印可電圧を切り替えることができる。
【００６５】
ＤＣポンプを用いたＰＷＭ制御により、必要な給排気の圧力に応じて、出力を精度良く制御できる。例えば、出力を最小限にできる。ＤＣポンプを用いたＰＷＭ制御により、例えば、ＡＣポンプを用いる場合に比べて、発生する音を小さくできる。例えば、発生する音を最小限にできる。これにより、例えば、より良い寝心地を提供できる。
【００６６】
以下、エアマットレス１１０の動作の例について説明する。  
図１１は、実施形態に係るエアマットレスにおける動作を例示するフローチャート図である。  
図１１に示すように、電源が投入される（ステップＳ１０１）。これにより、例えば、初期化モード（ステップＳ１０２）に移行する。初期化モードにおいて、例えば、エアセル１１の内圧（圧力Ｐｒ）が定められた値（例えば、５ｋＰａなど）に設定される。初期化モードにおいて、エアセル部１０の上に使用者８１が乗る。例えば、この状態で、内圧（圧力Ｐｒ）が定められた値に設定される。
【００６７】
通常モード（ステップＳ１０３）に移行する。例えば、使用者８１の状態に基づいて、または、受付部６０による操作の受け付けに基づいて、入眠モード（ステップＳ１３１）に移行しても良い。受付部６０による操作の受け付けは、例えば、使用者８１などによる操作が入力受付部６５（例えば、入眠モードボタン、図１（ｃ）参照）により受け付けられることなどにより行われる。使用者８１の状態は、例えば、覚醒または睡眠を含む。使用者８１の状態は、離床または在床を含む。使用者８１の状態は、例えば、使用者８１の体動を含む。入眠モード（ステップＳ１３１）において、「終了」の操作の受け付けに基づいて、または、使用者８１の状態に基づいて、または、受付部６０による操作の受け付けに基づいて、通常モード（ステップＳ１０３）に戻る。ステップＳ１０２において（または、ステップＳ１０２とステップＳ１０３の間において）、使用者の好みの「ウレタンマットレス」の特性が得られるように、内圧が変更されても良い。内圧の変更は、例えば、使用者の入力が受付部６０により受け付けられることにより行われる。
【００６８】
通常モードにおいて、例えば、内圧が確認（検出）される（ステップＳ１０５）。さらに、このときに設定（記憶）されている状態が「離床」であるか「臥床」であるかが判断される（ステップＳ１０６）。「設定（記憶）されている状態」は、例えば、前回の動作の終了時（例えば後述するステップＳ１１１）の状態である。例えば、前回の動作の終了時（例えば、１２時間前）における、「離床」であるか「臥床」であるかに関するフラグが読み出される。例えば、エアマットレス１１０の最初に設定（記憶）されている状態は、例えば「臥床」でも良い。ステップＳ１０６において、状態が「離床」である場合、後述するステップＳ１２１に進む。状態が「臥床」である場合、ステップＳ１０７に進む。
【００６９】
ステップＳ１０７では、内圧が大幅に低下したかどうかが判断される。例えば、エアセル１１の内圧は、自然状態においても、エア抜けなどにより、低下する場合がある。例えば、自然状態におけるエア抜けに起因する内圧の変化量の２倍以上の変化量で、内圧が低下した場合、「内圧が大幅に低下した」と判断される。内圧が大幅に低下したと判断された場合、「離床」と見なして、そのときの内圧を「離床内圧」として記憶する（ステップＳ１０９）。この後、例えば、定められた時間（例えば１２時間）、待機する（ステップＳ１１１）。待機において、例えば、内圧の制御は行われない。
【００７０】
ステップＳ１０７において、内圧が大幅に低下していないと判断された場合、内圧が低下したかどうかが判断される（ステップＳ１０８）。内圧が低下していないと判断された場合は、ステップＳ１１１に進む。
【００７１】
ステップＳ１０８で内圧が低下したと判断された場合は、設定内圧までの給気を行う（ステップＳ１１０）。この後、ステップＳ１１１に進む。
【００７２】
ステップＳ１０６において、「離床」と判断された場合、ステップＳ１２１において、内圧が低下したかどうかが判断される。内圧が低下していないと判断された場合、内圧が増加したかどうかが判断される（ステップＳ１２２）。内圧が増加していないと判断された場合、ステップＳ１１１に進む。内圧が増加したと判断された場合、「臥床」とみなして、「離床内圧」をクリアする（ステップＳ１２４、例えば、記憶を初期化する）。この後、ステップＳ１１１に進む。
【００７３】
ステップＳ１２１において、内圧が低下したと判断された場合、「離床内圧」までの給気が行われる（ステップＳ１２３）。この後、ステップＳ１１１に進む。
【００７４】
このような動作は、例えば、制御装置７０（または制御部７２）などにより行われる。
【００７５】
実施形態によれば、より快適なエアマットレスが提供できる。
【００７６】
以上、具体例を参照しつつ、本発明の実施の形態について説明した。しかし、本発明は、これらの具体例に限定されるものではない。例えば、エアマットレスに含まれるエアセル部、エアセル、第１層、サイドエッジ部、ポンプ部及び受付部などの各要素の具体的な構成に関しては、当業者が公知の範囲から適宜選択することにより本発明を同様に実施し、同様の効果を得ることができる限り、本発明の範囲に包含される。
【００７７】
各具体例のいずれか２つ以上の要素を技術的に可能な範囲で組み合わせたものも、本発明の要旨を包含する限り本発明の範囲に含まれる。
【００７８】
その他、本発明の実施形態として上述したエアマットレスを基にして、当業者が適宜設計変更して実施し得る全てのエアマットレスも、本発明の要旨を包含する限り、本発明の範囲に属する。
【００７９】
その他、本発明の思想の範疇において、当業者であれば、各種の変更例及び修正例に想到し得るものであり、それら変更例及び修正例についても本発明の範囲に属するものと了解される。
【符号の説明】
【００８０】
１０…エアセル部、  １１…エアセル、  １１ｐ…チューブ、  ２１、２２…第１、第２サイドエッジ部、  ３１…ポンプ部、  ３１ｄ…ＤＣポンプ、  ３１ｓ…センサ部、  ４０…第１層、  ６０…受付部、  ６１、６２…第１、第２入力表示部、  ６５…入力受付部、  ６８…ケーブル、  ７２…制御部、  ７８…記憶部、  Δｔ…圧縮量、  １１０…エアマットレス、  １１８ａ…第１参考試料、  １１８ｂ…第２参考試料、  １１９ｃ…第３参考試料、  １１９ｄ…第４参考試料、  Ｄｔ…デューティ比、  Ｆ１…反発力、  Ｐ１、Ｐ２…第１、第２パラメータ、  Ｐｒ…圧力、  ＳｉｇＣ…強度、  ｔ１、ｔ２…長さ、  ｔｍ…時間
【図１】
2020110454.tif 000003
【図２】
2020110454.tif 000004
【図３】
2020110454.tif 000005
【図４】
2020110454.tif 000006
【図５】
2020110454.tif 000007
【図６】
2020110454.tif 000008
【図７】
2020110454.tif 000009
【図８】
2020110454.tif 000010
【図９】
2020110454.tif 000011
【図１０】
2020110454.tif 000012
【図１１】
2020110454.tif 000013